(57)【特許請求の範囲】
【請求項１】
商品またはサービスの提供の対価の支払いに用いるカードに設けられた記憶媒体に記憶された、利用者の識別情報および当該利用者の障害の種類および当該障害の等級に関する個別障害情報を含む利用者情報を取得する利用者情報取得手段と、
施設において対応可能な障害の種類および当該障害の等級に関する障害情報と、当該障害情報によって特定される障害を有する利用者が利用可能な施設に関する施設情報と、当該施設による障害を有する利用者の受入実績に関する情報とを関連付けて記憶する施設データベースを参照して、前記利用者情報取得手段によって取得された利用者情報に含まれる個別障害情報があらわす障害の種類および当該障害の等級に対応可能なことをあらわす障害情報と関連付けられた施設情報を抽出する施設情報抽出手段と、
所定の端末装置に対して、前記施設情報抽出手段によって抽出された施設情報と、当該施設情報に関連付けられた前記受入実績に関する情報とを出力する施設情報出力手段と、
を備えたことを特徴とするチャレンジド支援システム。
【請求項２】
前記施設情報の出力先の端末装置から、当該端末装置に出力された施設情報のうち前記利用者によって指定された施設情報と、当該施設情報によって特定される施設の利用者にかかる個別障害情報と、当該施設の利用日時に関する情報と、を含む利用要求を受け付ける利用要求受付手段と、
前記利用要求受付手段によって受け付けられた利用要求に基づいて、当該利用要求に含まれる施設情報によって特定される施設の端末装置に対して、当該利用要求に含まれる個別障害情報によって特定される障害を有する利用者の当該施設の利用予定に関する情報を出力する利用予定出力手段と、
を備えたことを特徴とする請求項１に記載のチャレンジド支援システム。
【請求項３】
前記利用者情報取得手段は、さらに、施設の属性に関する情報を取得し、
前記施設情報抽出手段は、利用者が利用可能な施設に関する施設であって、取得された属性に該当する施設に関する施設情報を抽出することを特徴とする請求項１または２に記載のチャレンジド支援システム。
【請求項４】
前記利用者情報取得手段は、カードリーダを備えた端末装置またはカードリーダが接続された端末装置から当該利用者情報を取得し、
前記施設情報出力手段は、前記利用者情報を取得した端末装置に対して当該施設情報を出力することを特徴とする請求項１〜３のいずれか一つに記載のチャレンジド支援システム。
【請求項５】
前記施設情報の出力先となる端末装置に関する情報と前記識別情報とを関連付けて記憶する端末データベースを参照して、前記取得された利用者情報に含まれる識別情報に関連付けられた端末装置に関する端末情報を抽出する端末情報抽出手段を備え、
前記施設情報出力手段は、抽出された端末情報に基づいて特定される端末装置に前記施設情報の出力先となる端末装置に対して前記施設情報を出力することを特徴とする請求項１〜３のいずれか一つに記載のチャレンジド支援システム。
【請求項６】
前記利用者情報取得手段によって取得された利用者情報に個別障害情報が含まれるか否かを判断する確認手段を備え、
前記施設情報抽出手段は、前記確認手段による判断結果に基づき前記利用者情報取得手段によって取得された利用者情報に個別障害情報が含まれる場合、さらに当該個別障害情報に基づいて前記施設情報を抽出することを特徴とする請求項１〜５のいずれか一つに記載のチャレンジド支援システム。
【請求項７】
コンピュータに、
商品またはサービスの提供の対価の支払いに用いるカードに設けられた記憶媒体から、利用者の識別情報および当該利用者の障害の種類および当該障害の等級に関する個別障害情報を含む利用者情報を取得し、
施設において対応可能な障害の種類および当該障害の等級に関する障害情報と、当該障害情報によって特定される障害を有する利用者が利用可能な施設に関する施設情報と、当該施設による障害を有する利用者の受入実績に関する情報とを関連付けて記憶する施設データベースを参照して、取得された利用者情報に含まれる個別障害情報があらわす障害の種類および当該障害の等級に対応可能なことをあらわす障害情報と関連付けられた施設情報を抽出し、
所定の端末装置に対して、抽出された施設情報と、当該施設情報に関連付けられた前記受入実績に関する情報とを出力する、
処理を実行させることを特徴とするチャレンジド支援プログラム。
【請求項８】
コンピュータにおこなわせるチャレンジド支援方法であって、
商品またはサービスの提供の対価の支払いに用いるカードに設けられた記憶媒体から、利用者の識別情報および当該利用者の障害の種類および当該障害の等級に関する個別障害情報を含む利用者情報を取得させ、
施設において対応可能な障害の種類および当該障害の等級に関する障害情報と、当該障害情報によって特定される障害を有する利用者が利用可能な施設に関する施設情報と、当該施設による障害を有する利用者の受入実績に関する情報とを関連付けて記憶する施設データベースを参照して、取得された利用者情報に含まれる個別障害情報があらわす障害の種類および当該障害の等級に対応可能なことをあらわす障害情報と関連付けられた施設情報を抽出させ、
所定の端末装置に対して、抽出された施設情報と、当該施設情報に関連付けられた前記受入実績に関する情報とを出力させる、
ことを特徴とするチャレンジド支援方法。
【発明の詳細な説明】
【技術分野】
【０００１】
この発明は、障害を有する利用者を支援するチャレンジド支援システム、チャレンジド支援プログラムおよびチャレンジド支援方法に関する。
【背景技術】
【０００２】
たとえば、障害を有する利用者（チャレンジド）においては、道路や建物における床面に段差があるなどの理由によって、利用しづらい施設や店舗（以下「施設等」という）があるという現状があった。一方で、障害を有する利用者が利用しやすいサービスや設備を整え、障害の有無にかかわらず、幅広い客層を受け入れる準備を整えた施設等も多く存在する。このようなことから、障害を有する利用者は、自身で、利用を希望する施設等、あるいは利用可能な施設等などについての情報を事前に収集するなどしているという現状があった。
【０００３】
関連する技術として、具体的には、従来、たとえば、身体障害者手帳に記載されている個人情報の中から、身体障害者が公共交通機関の運賃障害者割引制度を利用するための情報を抜粋してＩＣカード化するようにした技術があった（たとえば、下記特許文献１を参照。）。また、関連する技術として、具体的には、従来、たとえば、決済の少なくとも合計金額を、音声により自動的にその場で読み上げる販売時点情報管理端末に関する技術があった（たとえば、下記特許文献２を参照。）。
【先行技術文献】
【特許文献】
【０００４】
【特許文献１】特開２００２−３５１９８９号公報
【特許文献２】特表２００２−５４３５０５号公報
【発明の概要】
【発明が解決しようとする課題】
【０００５】
しかしながら、上述したように、従来は、（チャレンジド）自身が、利用を希望する施設等、あるいは利用可能な施設等などについての情報を事前に収集しなくてはならず、煩わしい。また、従来は、チャレンジドのためのサービスや設備が充実している施設等であっても、情報収集のやり方によっては当該施設等についての情報を得ることができず、チャレンジドが各種の施設を十分に利用することが難しい。
【０００６】
また、従来は、チャレンジドのためのサービスや設備がある施設等であっても、当該利用者自身が当該サービスの利用を希望する旨を申告しなければならないことが多いため、チャレンジドは、施設等あるいは周囲の健常者に気兼ねして、当該サービスや設備を十分に利用することが難しいという状況があった。
【０００７】
また、上述した特許文献１に記載された従来の技術は、公共交通機関の運賃障害者割引制度を利用するためには身体障害者手帳に記載されている個人情報を提示しなくてはならないため、たとえば、チャレンジドの住所や当該チャレンジドの障害名など、当該利用者が希望しない個人情報を公開しなくてはならない。また、上述した特許文献２に記載された従来の技術は、決済における金額を読み上げることに限定されるため、当該技術を利用できる障害の種類が限定されてしまう。
【０００８】
このように、従来は、チャレンジドが健常者に気兼ねすることなく、施設等を気軽にかつ十分に利用することが難しいという問題があった。
【０００９】
この発明は、上述した従来技術による問題点を解消するため、チャレンジドが充実した社会生活を営むための支援をおこなうことができるチャレンジド支援システム、チャレンジド支援プログラムおよびチャレンジド支援方法を提供することを目的とする。
【課題を解決するための手段】
【００１０】
上述した課題を解決し、目的を達成するため、この発明にかかるチャレンジド支援システムは、商品またはサービスの提供の対価の支払いに用いるカードに設けられた記憶媒体に記憶された、利用者の識別情報および当該利用者の障害に関する個別障害情報を含む利用者情報を取得する利用者情報取得手段と、施設において対応可能な障害の種類および当該障害の等級に関する障害情報と当該障害情報によって特定される障害を有する利用者が利用可能な施設に関する施設情報とを関連付けて記憶する施設データベースを参照して、前記利用者情報取得手段によって取得された利用者情報に含まれる個別障害情報に基づいて、取得した利用者情報に含まれる識別情報に基づいて特定される利用者が利用可能な施設に関する施設情報を抽出する施設情報抽出手段と、所定の端末装置に対して、前記施設情報抽出手段によって抽出された施設情報を出力する施設情報出力手段と、を備えたことを特徴とする。
【００１１】
また、この発明にかかるチャレンジド支援システムは、上記の発明において、前記施設情報の出力先の端末装置から、当該端末装置に出力された施設情報のうち前記利用者によって指定された施設情報と、当該施設情報によって特定される施設の利用者にかかる個別障害情報と、当該施設の利用日時に関する情報と、を含む利用要求を受け付ける利用要求受付手段と、前記利用要求受付手段によって受け付けられた利用要求に基づいて、当該利用要求に含まれる施設情報によって特定される施設の端末装置に対して、当該利用要求に含まれる個別障害情報によって特定される障害を有する利用者の当該施設の利用予定に関する情報を出力する利用予定出力手段と、を備えたことを特徴とする。
【００１２】
また、この発明にかかるチャレンジド支援システムは、上記の発明において、前記利用者情報取得手段が、さらに、施設の属性に関する情報を取得し、前記施設情報抽出手段が、利用者が利用可能な施設に関する施設であって、取得された属性に該当する施設に関する施設情報を抽出することを特徴とする。
【００１３】
また、この発明にかかるチャレンジド支援システムは、上記の発明において、前記利用者情報取得手段が、カードリーダを備えた端末装置またはカードリーダが接続された端末装置から当該利用者情報を取得し、前記施設情報出力手段が、前記利用者情報を取得した端末装置に対して当該施設情報を出力することを特徴とする。
【００１４】
また、この発明にかかるチャレンジド支援システムは、上記の発明において、前記施設情報の出力先となる端末装置に関する情報と前記識別情報とを関連付けて記憶する端末データベースを参照して、前記取得された利用者情報に含まれる識別情報に関連付けられた端末装置に関する端末情報を抽出する端末情報抽出手段を備え、前記施設情報出力手段は、抽出された端末情報に基づいて特定される端末装置に前記施設情報の出力先となる端末装置に対して前記施設情報を出力することを特徴とする。
【００１５】
また、この発明にかかるチャレンジド支援システムは、上記の発明において、前記利用者情報取得手段によって取得された利用者情報に個別障害情報が含まれるか否かを判断する確認手段を備え、前記施設情報抽出手段が、前記確認手段による判断結果に基づき前記利用者情報取得手段によって取得された利用者情報に個別障害情報が含まれる場合、さらに当該個別障害情報に基づいて前記施設情報を抽出することを特徴とする。
【００１６】
また、この発明にかかるチャレンジド支援プログラムは、コンピュータに、商品またはサービスの提供の対価の支払いに用いるカードに設けられた記憶媒体から、利用者の識別情報および当該利用者の障害に関する個別障害情報を含む利用者情報を取得し、施設において対応可能な障害の種類および当該障害の等級に関する障害情報と当該障害情報によって特定される障害を有する利用者が利用可能な施設に関する施設情報とを関連付けて記憶する施設データベースを参照して、取得された利用者情報に含まれる個別障害情報に基づいて、取得した利用者情報に含まれる識別情報に基づいて特定される利用者が利用可能な施設に関する施設情報を抽出し、所定の端末装置に対して、抽出された施設情報を出力する、処理を実行させることを特徴とする。
【００１７】
また、この発明にかかるチャレンジド支援方法は、コンピュータにおこなわせるチャレンジド支援方法であって、商品またはサービスの提供の対価の支払いに用いるカードに設けられた記憶媒体から、利用者の識別情報および当該利用者の障害に関する個別障害情報を含む利用者情報を取得させ、施設において対応可能な障害の種類および当該障害の等級に関する障害情報と当該障害情報によって特定される障害を有する利用者が利用可能な施設に関する施設情報とを関連付けて記憶する施設データベースを参照して、取得された利用者情報に含まれる個別障害情報に基づいて、取得した利用者情報に含まれる識別情報に基づいて特定される利用者が利用可能な施設に関する施設情報を抽出させ、所定の端末装置に対して、抽出された施設情報を出力させる、ことを特徴とする。
【発明の効果】
【００１８】
この発明にかかるチャレンジド支援システム、チャレンジド支援プログラムおよびチャレンジド支援方法によれば、チャレンジドが健常者に気兼ねすることなく、施設等を気軽にかつ十分に利用することができるという効果を奏する。
【００１９】
そして、この発明にかかるチャレンジド支援システム、チャレンジド支援プログラムおよびチャレンジド支援方法によれば、チャレンジドに、健常者に気兼ねすることなく施設等を気軽にかつ十分に利用させることにより、当該チャレンジドが充実した社会生活を営むための支援をおこなうことができる。
【図面の簡単な説明】
【００２０】
【図１】この発明にかかる実施の形態のチャレンジド支援システムのシステム構成を示す説明図である。
【図２−１】この発明にかかる実施の形態のチャレンジド支援サーバを実現するコンピュータ装置のハードウエア構成を示す説明図である。
【図２−２】この発明にかかる実施の形態の施設の端末装置や利用者の端末装置を実現するコンピュータ装置のハードウエア構成を示す説明図である。
【図３−１】施設データベースの一例を示す説明図である。
【図３−２】端末データベースの一例を示す説明図である。
【図４−１】この発明にかかる実施の形態のチャレンジド支援システムにおける、利用者の端末装置に表示される表示画面例を示す説明図（その１）である。
【図４−２】この発明にかかる実施の形態のチャレンジド支援システムにおける、利用者の端末装置に表示される表示画面例を示す説明図（その２）である。
【図５】この発明にかかる実施の形態のチャレンジド支援サーバの機能的構成を示すブロック図である。
【図６−１】利用者の端末装置の処理手順を示す説明図（その１）である。
【図６−２】利用者の端末装置の処理手順を示す説明図（その２）である。
【図７−１】チャレンジド支援サーバの処理手順を示すフローチャート（その１）である。
【図７−２】チャレンジド支援サーバの処理手順を示すフローチャート（その２）である。
【発明を実施するための形態】
【００２１】
以下に添付図面を参照して、この発明にかかるチャレンジド支援システム、チャレンジド支援プログラムおよびチャレンジド支援方法の好適な実施の形態を詳細に説明する。
【００２２】
（チャレンジド支援システムのシステム構成）
まず、この発明にかかる実施の形態のチャレンジド支援システムのシステム構成について説明する。図１は、この発明にかかる実施の形態のチャレンジド支援システムのシステム構成を示す説明図である。
【００２３】
図１において、この発明にかかる実施の形態のチャレンジド支援システム１００は、チャレンジド支援サーバ１０１、施設の端末装置１０２、利用者の端末装置１０３、を含んで構成されている。チャレンジド支援システム１００において、チャレンジド支援サーバ１０１、施設の端末装置１０２、利用者の端末装置１０３は、インターネットなどのネットワーク１１０に接続されている。
【００２４】
チャレンジド支援サーバ１０１は、たとえば、パーソナルコンピュータなどの汎用的なコンピュータ装置によって実現することができる（図２−１を参照）。チャレンジド支援サーバ１０１は、Ｗｅｂサーバとしての機能も実現する。すなわち、チャレンジド支援サーバ１０１は、ＷＷＷ（Ｗｏｒｌｄ  Ｗｉｄｅ  Ｗｅｂ）システムにおいて情報送信における情報送信機能を備えており、ＨＴＴＰ（ＨｙｐｅｒＴｅｘｔ  Ｔｒａｎｓｆｅｒ  Ｐｒｏｔｏｃｏｌ）にしたがって、利用者の端末装置１０３などのコンピュータ装置にインストールされたウェブブラウザに対して、ＨＴＭＬ（ＨｙｐｅｒＴｅｘｔ  Ｍａｒｋｕｐ  Ｌａｎｇｕａｇｅ）や画像などの各種オブジェクトを表示させるプログラムがインストールされたコンピュータ装置によって実現することができる。施設の端末装置１０２や利用者の端末装置１０３は、キーボードやマウスなどの入力部やディスプレイなどを備えた、汎用的なコンピュータ装置によって実現することができる（図２−２を参照）。
【００２５】
（コンピュータ装置のハードウエア構成）
図２−１は、この発明にかかる実施の形態のチャレンジド支援サーバ１０１を実現するコンピュータ装置のハードウエア構成を示す説明図である。図２−１において、チャレンジド支援サーバ１０１を実現するコンピュータ装置は、ＣＰＵ２１１と、ＲＡＭ２１２と、ＨＤＤ２１３と、ＨＤ２１４と、ネットワークＩ／Ｆ２１５と、を備えている。この発明にかかる実施の形態のチャレンジド支援サーバ１０１を実現するコンピュータ装置が備える各部２１１〜２１５は、バス２１０によってそれぞれ接続されている。
【００２６】
ＣＰＵ２１１は、コンピュータ装置全体の制御をつかさどる。ＲＡＭ２１２には、ＣＰＵ２１１が各種の処理を実行する際に用いるワークエリアが確保されている。ＨＤＤ２１３は、ＣＰＵ２１１の制御にしたがってＨＤ２１４に対するデータのリード／ライトを制御する。ＨＤ２１４は、ＨＤＤ２１３の制御で書き込まれたデータを記憶する。
【００２７】
ＲＡＭ２１２やＨＤ２１４には、各種の制御プログラムが格納されている。具体的には、ＲＡＭ２１２やＨＤ２１４には、たとえば、この発明にかかる実施の形態のチャレンジド支援プログラムが記憶されている。この発明にかかる実施の形態のチャレンジド支援プログラムを含む各種の制御プログラムは、ＲＡＭ２１２における不揮発領域あるいはＨＤ２１４に記憶されており、コンピュータ装置の電源をＯＦＦした場合にも消去されない。また、ＲＡＭ２１２やＨＤ２１４には、たとえば、この発明にかかる実施の形態のチャレンジド支援プログラムを含む各種の制御プログラムの実行に際して用いる各種のデータを記憶する各種データベースが記憶されている。
【００２８】
ＣＰＵ２１１は、ＲＡＭ２１２に確保されたワークエリアを用いて、ＲＡＭ２１２やＨＤ２１４に記憶された各種データベースを参照して、この発明にかかる実施の形態のチャレンジド支援プログラムを含む各種の制御プログラムを実行する。ＣＰＵ２１１は、たとえば、この制御プログラムの実行に際してネットワークＩ／Ｆ２１５を制御する。これにより、ＣＰＵは、インターネットなどのネットワーク１１０を介して、当該ネットワーク１１０に接続された別のコンピュータ装置との間におけるデータの入出力を制御することができる。
【００２９】
図２−２は、この発明にかかる実施の形態の施設の端末装置１０２や利用者の端末装置１０３を実現するコンピュータ装置のハードウエア構成を示す説明図である。図２−２において、施設の端末装置１０２や利用者の端末装置１０３を実現するコンピュータ装置は、ＣＰＵ２２１と、ＲＡＭ２２２と、ＨＤＤ２２３と、ＨＤ２２４と、ネットワークＩ／Ｆ２２５と、ディスプレイ２２６と、操作部２２７と、マイク２２８と、スピーカー２２９と、カードリーダ２３０と、を備えている。また、この発明にかかる実施の形態の施設の端末装置１０２や利用者の端末装置１０３を実現するコンピュータ装置が備える各構成部２２１〜２３０は、バス２２０によってそれぞれ接続されている。
【００３０】
ＣＰＵ２２１は、コンピュータ装置全体の制御をつかさどる。ＲＡＭ２２２には、ＣＰＵ２２１が各種の処理を実行する際に用いるワークエリアが確保されている。また、ＲＡＭ２２２には、各種の制御プログラムが格納されている。具体的には、ＲＡＭ２２２には、たとえば、この発明にかかる実施の形態のチャレンジド支援プログラムの実行により、チャレンジド支援サーバ１０１から提供されるＨＴＭＬや画像などの各種オブジェクトを表示させるウェブブラウザが記憶（インストール）されている。
【００３１】
ＣＰＵ２２１は、ＲＡＭ２２２に確保されたワークエリアを用いて各種の制御プログラムを実行し、ネットワークＩ／Ｆ２２５を制御する。ＣＰＵ２２１は、ネットワークＩ／Ｆ２２５を介して、チャレンジド支援プログラムの実行にともなってチャレンジド支援サーバ１０１から提供されるＨＴＭＬや画像などの各種オブジェクトなどのデータの入出力を制御する。
【００３２】
ディスプレイ２２６は、カーソル、アイコン、ツールボックスをはじめ、文書、画像、機能情報などのデータに関するウインドウ（ブラウザ）を表示する。ディスプレイ２２６は、具体的には、たとえば、液晶パネルや液晶ディスプレイや有機ＥＬ（Ｅｌｅｃｔｒｏ−Ｌｕｍｉｎｅｓｃｅｎｃｅ）パネルなどを備えた表示装置によって実現することができる。
【００３３】
操作部２２７は、利用者の操作を受け付け、当該操作に応じた信号をＣＰＵ２２１に出力する。操作部２２７は、具体的には、たとえば、文字、数値、各種指示などの入力のためのキーを備えキーボードなどによって実現することができる。また、操作部２２７は、具体的には、たとえば、マウスなどのポインタデバイスやタッチパネルなどによって実現してもよい。
【００３４】
タッチパネルによって操作部２２７を実現する場合、当該タッチパネルは、ディスプレイ２２６に積層され、操作位置に応じた信号をＣＰＵ２２１に対して出力する。タッチパネルは、たとえば抵抗膜方式や静電容量方式、音響パルス認識方式、超音波表面弾性波方式、赤外遮光方式、画像認識方式など公知の各種の方式のものを用いることができる。
【００３５】
マイク２２８は、アナログデータとして入力された話者の声をアナログ／デジタル変換し、デジタル形式の音声データを生成し、生成した音声データをＣＰＵ２２１に出力する。マイク２２８を用いた音声入力を可能とすることにより、チャレンジドによる施設検索が容易におこなえるように支援することができる。
【００３６】
「チャレンジド」は、「障害を持つ人」を表す新しい米語「ｔｈｅ  ｃｈａｌｌｅｎｇｅｄ（挑戦という使命や課題、挑戦するチャンスや資格を与えられた人）」を語源とし、障害をマイナスとのみ捉えるのでなく、障害を持つゆえに体験する様々な事象を自分自身のため、あるいは社会のためポジティブに生かしていこうという想いを込め、プロップが１９９５年から提唱している。
【００３７】
スピーカー２２９は、チャレンジド支援プログラムの実行にともなってチャレンジド支援サーバ１０１から提供される音声データに基づく音声を出力する。スピーカー２２９は、チャレンジド支援サーバ１０１から提供されたデジタル形式の音声データをデジタル／アナログ変換し、アナログ形式の音声データに基づいてスピーカコーンにおけるコイルに通電するなどして音声を出力する。
【００３８】
カードリーダ２３０は、クレジットカードなどのカードが備える記憶媒体に記録された情報を読み取り、読み取られた情報をＣＰＵ２２１に対して出力する。カードが備える記憶媒体は、たとえば、ＩＣチップ、あるいは磁気ストライプによって実現することができる。カードリーダ２３０については、公知の各種の技術を用いて容易に実現可能であるため説明を省略する。なお、施設の端末装置１０２を実現するコンピュータ装置は、マイク２２８、スピーカー２２９、カードリーダ２３０は、備えていなくてもよい。
【００３９】
この実施の形態のチャレンジド支援システム１００が提供するチャレンジド支援サービスを受ける利用者は、障害者手帳の交付を受けている。この実施の形態において、身体障害、知的障害あるいは精神障害のあることが公的機関によって認定された利用者に対して発行され、障害を有することが認定されたことを証明する手帳を障害者手帳とする。具体的に、精神障害者手帳は、たとえば、身体障害者手帳、療育手帳、精神障害者保健福祉手帳を含む。
【００４０】
そして、交付される障害者手帳の内容と同様の情報が記憶されたカードの発行を受けている。チャレンジド支援サービスを受ける利用者に発行されるカードは、記憶媒体を備えている。具体的には、カードは、たとえば、クレジットカードなどの、記憶媒体を備えたカードによって実現することができる。この場合、カードが備える記憶媒体は、カード番号などの、カードを用いた決済に参照される情報の他に、障害情報を記憶している。
【００４１】
障害情報は、各施設において対応可能な障害の種類および当該障害の等級に関する情報を含んでいる。障害の種類は、たとえば、「身体障害者福祉法  別表」により定められる。障害の種類は、具体的には、たとえば、「肢体不自由（上肢、下肢機能障害・体幹機能障害・脳原性障害）」、「視覚障害（視力障害〈弱視・色盲・全盲〉・視野障害）」、「聴覚障害（難聴・ろう者・中途失聴者）」、「平衡機能障害（まっすぐ歩けない・片足で立っていられない）」、「音声機能障害（咽頭・発声筋など発声器官の障害）」、「言語機能障害（失語症・高次脳機能障害）」、「そしゃく機能障害（咬合異常・嚥下障害）」、「内部機能障害（呼吸器機能障害・心臓機能障害・じん臓機能障害・ぼうこう機能障害・小腸機能障害・直腸機能障害）」などのように、感覚器官・消化器官・運動器官の機能の一部にある障害に基づいて認定される。また、障害の種類は、具体的には、たとえば、「ヒト免疫不全ウイルスによる免疫機能障害」などのような免疫機能障害も含んでいてもよい。また、障害の種類は、具体的には、たとえば、「膠原病」、「高次脳機能障害」などのように長期にわたって日常生活に支障をきたす難病を含んでいてもよい。
【００４２】
障害の等級は、身体障害の程度を評価するための基準であり、身体障害者福祉法に規定される身体障害について、それぞれの障害の種類ごとに区分されている。身体障害者福祉法の規定に基づく障害の等級は、７等級に区分されており、最重度の１級から軽度の６級までが身体障害者手帳の交付対象とされている。７級の障害については、２つ以上重複している場合のみ身体障害者手帳の交付対象とされている。
【００４３】
障害情報は、障害の種類として、上述した身体的な障害だけではなく知的障害に関する情報を含んでいてもよい。知的障害のうち、精神医学の領域における知的発達障害は、たとえば、精神年齢（発達年齢）と生活年齢（実年齢）の比率によってあらわされる知能指数に応じて区分される。知的発達障害は、最重度（目安として知能指数１９以下の程度）、重度（目安として知能指数２０〜３４程度）、中度（中等度、目安として知能指数３５〜４９程度）、軽度（目安として知能指数５０〜６９程度）などの等級に区分される。知的障害にかかる障害情報は、障害の等級としてこれらの等級を示す。
【００４４】
また、精神障害は、「精神保健及び精神障害者福祉に関する法律施行令」に基づいて、精神保健福祉センター（精神医療センター）などにおいておこなわれた判定結果に基づき、障害の程度が重い順に１級、２級、３級に区分される。精神障害にかかる障害情報は、障害の等級としてこれらの等級を示す。精神障害者保健福祉手帳は、手帳取得後に更新が必要であるため、精神障害者保健福祉手帳に基づく障害情報は、有効期間（有効期限）に関する情報を含む。
【００４５】
この実施の形態のチャレンジド支援システム１００が提供するチャレンジド支援サービスにおいては、たとえば、身体障害者手帳の交付対象とされるチャレンジドを対象とすることができる。なお、この実施の形態のチャレンジド支援システム１００が対象とする利用者（チャレンジド）は、身体障害者手帳の交付対象とされるチャレンジドに限るものではなく、たとえば、７級の障害が１つ認定されているチャレンジドを対象に含めてもよい。また、認知症など、身体障害者手帳の交付対象とはされていないチャレンジドを、この実施の形態のチャレンジド支援システム１００が提供するチャレンジド支援サービスの利用対象に含めてもよい。
【００４６】
（施設データベースの一例）
つぎに、施設データベースの一例について説明する。図３−１は、施設データベースの一例を示す説明図である。図３−１において、施設データベース３１０は、障害情報と施設情報とを関連付けて記憶する。施設データベース３１０は、たとえば、チャレンジド支援サーバ１０１を実現するコンピュータ装置が備えるＲＡＭ２１２やＨＤ２１４に格納されている。
【００４７】
施設情報は、上記の障害情報によって特定されるチャレンジドが利用可能な施設に関する情報であって、たとえば、施設名、施設が備える設備などを示す情報によって実現することができる。また、施設情報は、付き添い、介助者の有無を示す情報を含んでいてもよい。また、施設情報は、当該施設情報によって特定される施設の画像、当該施設の利用者のコメントなどを示す情報を含んでいてもよい。
【００４８】
施設情報は、施設の属性を示すものであってもよい。施設の属性は、施設名によってあらわされるものであってもよく、施設が備える設備によってあらわされるものであってもよい。具体的には、たとえば、「○時計店」であれば「時計」や「販売型店舗」などが属性としてあらわされ、「△居酒屋」であれば「飲食店」、「アルコール提供店」などが属性としてあらわされる。チャレンジド支援システム１００においては、施設情報と、当該施設情報に基づいて特定される属性に関する情報を関連付けて記憶する属性データベース（図示を省略する）を、施設データベース３１０とは別に備えていてもよい。
【００４９】
施設データベース３１０における障害情報および施設情報は、たとえば、チャレンジド支援システム１００の運営者が設定する。また、施設データベース３１０における障害情報および施設情報は、たとえば、チャレンジド支援システム１００に加盟する施設が、それぞれ、自施設に関する施設情報や、自施設において対応可能な障害の種類および当該障害の等級を設定するものであってもよい。この場合、施設データベース３１０における障害情報および施設情報は、たとえば、施設の設備を改築した場合、各障害の専門家やヘルパーなどの拡充をおこなうなどした場合に、適宜更新されるものであってもよい。
【００５０】
また、施設データベース３１０における障害情報および施設情報は、たとえば、利用者からの評価に基づいて適宜更新されるものであってもよい。具体的には、たとえば、施設の利用者のコメントが寄せられるごとに当該コメントを追加することによって施設情報を更新することができる。
【００５１】
あるいは、施設情報として利用者のコメントに基づいた施設の評価値を算出し、定期的あるいは不定期に、当該評価値を更新することによって施設情報を更新するようにしてもよい。評価値はたとえばあらかじめ複数段階（たとえば５段階）の評価を設定しておき、利用者に施設ごとの評価値を選択させ、当該評価値の平均値を施設の評価値と算出することができる。評価値の算出方法は、これに限るものではなく公知の各種の技術を用いて算出することができる。
【００５２】
また、施設データベース３１０においては、チャレンジドの受入実績に関する情報を記憶していてもよい。チャレンジドの受入実績に関する情報は、各施設においてチャレンジドを受け入れた実績を示す情報であればよく、具体的には、たとえば、過去に受け入れたチャレンジドの人数を示す。この場合、チャレンジドの受入実績に関する情報は、具体的には、たとえば、１月、２月、３月などのような１ヶ月単位、月曜日、火曜日、水曜日などのような曜日単位、平日、休日などのような属性別の単位などのように、過去に受け入れたチャレンジドの人数を所定の単位期間別区別して記憶していてもよい。
【００５３】
（端末データベースの一例）
つぎに、端末データベースの一例について説明する。図３−２は、端末データベースの一例を示す説明図である。図３−２において、端末データベース３２０は、利用者の識別情報ごとに、この発明にかかる実施の形態のチャレンジド支援プログラムの実行により抽出される施設情報の出力先となる端末装置に関する情報を関連付けて記憶する。
【００５４】
利用者の識別情報は、利用者ごとに固有の情報であって、個々の利用者を識別可能な情報とされる。具体的には、たとえば、この実施の形態における利用者の識別情報は、クレジットカードごとに固有のクレジットカード番号によって実現することができる。端末装置に関する情報は、たとえば、障害を施設情報の出力先として利用者が希望する端末装置の電子メールアドレスとすることができる。
【００５５】
端末データベース３２０は、たとえば、チャレンジド支援サーバ１０１を実現するコンピュータ装置が備えるＲＡＭ２１２やＨＤ２１４に格納されている。端末データベース３２０における利用者の識別情報や端末装置に関する情報は、たとえば、チャレンジド支援システム１００の運営者が設定する。あるいは、端末データベース３２０における端末装置に関する情報は、たとえば、チャレンジド支援システム１００の運営者が提供する障害者支援サービスの利用を希望する利用者が、自身の任意に設定や変更ができるものであってもよい。
【００５６】
チャレンジド支援サーバ１０１は、さらに、利用者のクレジットカードのカード番号と、当該利用者に関する情報と、を関連付けて記憶する利用者データベース（図示を省略する）を備えている。利用者データベースにおいて、利用者に関する情報は、たとえば、利用者の氏名、住所や連絡先、性別、年齢などを示す情報によって実現することができる。
【００５７】
（表示画面例）
つぎに、この発明にかかる実施の形態のチャレンジド支援システム１００における表示画面例について説明する。図４−１および図４−２は、それぞれ、この発明にかかる実施の形態のチャレンジド支援システム１００における、利用者の端末装置１０３に表示される表示画面例を示す説明図である。図４−１および図４−２に示した表示画面４１０、４２０は、利用者の端末装置１０３を実現するコンピュータ装置にインストールされたウェブブラウザを介して、当該コンピュータ装置が備えるディスプレイ２２６に表示される。
【００５８】
図４−１において、表示画面４１０は、チャレンジドが利用可能な施設の検索に際して、利用者の端末装置１０３を実現するコンピュータ装置が備えるディスプレイ２２６に表示される。表示画面４１０は、検索条件を入力する入力エリア４１１を表示する。入力エリア４１１には、検索条件として、利用者が所望する施設の検索の手がかりとなる任意のキーワードを入力することができる。
【００５９】
利用者の端末装置１０３を実現するコンピュータ装置は、表示画面４１０の表示中に入力エリア４１１に検索条件が入力された状態で「検索」キー４１２の操作を受け付けると、検索要求を生成し、生成した検索要求をチャレンジド支援サーバ１０１に対して送信する。検索要求は、入力エリア４１１に入力された検索条件、および、検索要求の送信元の利用者にかかる利用者情報を含む。利用者情報は、利用者の識別情報および当該利用者の個別障害情報を含む。
【００６０】
図４−２において、表示画面４２０は、検索要求を送信した結果、チャレンジド支援サーバ１０１から提供された各種オブジェクトを受信した場合に、利用者の端末装置１０３を実現するコンピュータ装置が備えるディスプレイ２２６に表示される。表示画面４２０は、検索した施設に関する施設情報を表示する。施設情報は、たとえば、施設（図４−２においては「店舗」）についての説明、営業時間など施設についての基本情報、施設の画像などを含む。また、施設情報は、チャレンジドに対する設備に関する情報を含んでいる。
【００６１】
表示画面４２０において、チャレンジドに対する設備に関する情報は、他の情報とは区別して表示することが好ましい。これにより、チャレンジドが、自身の障害に応じた設備があるかどうかを、容易かつ確実に確認することができる。また、チャレンジドに対する設備に関する情報を他の情報とは区別して表示することにより、複数の施設を検索した場合にも、各施設の設備の比較を容易かつ確実におこなうことができる。
【００６２】
表示画面４２０においては、さらに、「利用」キーを表示してもよい。この場合、利用者の端末装置１０３を実現するコンピュータ装置は、「利用」キーの操作を受け付けると、ディスプレイ２２６に利用予定通知画面を表示する。利用予定通知画面は、利用を希望する日時や、該当する施設の利用に際して希望する条件などを入力する入力エリアを表示する。また、利用予定通知画面は、利用を希望する施設名などを表示してもよい。
【００６３】
利用予定通知画面は、さらに、入力した内容を確定する「確定」キーを表示する。利用者の端末装置１０３を実現するコンピュータ装置は、利用予定通知画面の表示中に入力エリアに該当する情報が入力された状態で「確定」キーの操作を受け付けると、利用要求を生成し、生成した利用要求をチャレンジド支援サーバ１０１に対して送信する。
【００６４】
利用要求は、予約画面の表示中に入力エリアに入力された情報すなわち施設の利用日時に関する情報、および、検索要求の送信元の利用者にかかる個別障害情報を含む。個別障害情報は、施設情報によって特定される施設の利用者を特定可能な情報であって、具体的には、たとえば、クレジットカードのカード番号によって実現することができる。
【００６５】
また、利用要求は、チャレンジドの受入実績に関する情報を要求する情報を含んでもよい。これにより、この実施の形態のチャレンジド支援システム１００においては、チャレンジド支援サーバ１０１から、該当する利用者の端末装置１０３に対して、チャレンジドの受入実績に関する情報を送信することができる。そして、これによって、チャレンジド、および、当該チャレンジドの付き添人に対して、施設の利用に際しての安心感を提供することができる。
【００６６】
（チャレンジド支援サーバ１０１の機能的構成）
つぎに、この発明にかかる実施の形態のチャレンジド支援サーバ１０１の機能的構成について説明する。図５は、この発明にかかる実施の形態のチャレンジド支援サーバ１０１の機能的構成を示すブロック図である。
【００６７】
図５において、この発明にかかる実施の形態のチャレンジド支援サーバ１０１の機能は、記憶部５０１と、利用者情報取得部５０２と、施設情報抽出部５０３と、施設情報出力部５０４と、利用要求受付部５０５と、利用予定通知生成部５０６と、利用予定通知出力部５０７と、が実現する各機能によって実現される。
【００６８】
記憶部５０１は、施設データベース３１０、端末データベース３２０、属性データベース、利用者データベースなどの各種のデータベースを記憶する。この実施の形態において、記憶部５０１の機能は、ＲＡＭ２１２、ＨＤＤ２１３およびＨＤ２１４によって実現することができる。
【００６９】
利用者情報取得部５０２は、商品またはサービスの提供の対価の支払いに用いるカードに設けられた記憶媒体から、利用者の識別情報および当該利用者の障害に関する個別障害情報を含む利用者情報を取得する。利用者情報取得部５０２は、利用者の端末装置１０３から送信された検索要求を受信することによって、利用者情報を取得することができる。
【００７０】
この実施の形態においては、利用者情報取得部５０２によって、この発明にかかる利用者情報取得手段を実現することができる。この実施の形態において、利用者情報取得部５０２の機能は、ＣＰＵ２１１、ＲＡＭ２１２、ＨＤＤ２１３、ＨＤ２１４およびネットワークＩ／Ｆ２１５によって実現することができる。
【００７１】
利用者情報取得部５０２は、さらに、施設の属性に関する情報を取得してもよい。具体的には、たとえば、上記の表示画面４１０において入力した検索条件（キーワード）を、施設の属性に関する情報を取得することができる。利用者情報取得部５０２は、カードリーダを備えた利用者の端末装置１０３、または、カードリーダが接続された利用者の端末装置１０３から利用者情報を取得する。
【００７２】
施設情報抽出部５０３は、施設データベース３１０を参照して、利用者情報取得部５０２によって取得された利用者情報に含まれる個別障害情報に基づいて、当該利用者情報に含まれる識別情報に基づいて特定される利用者が利用可能な施設に関する施設情報を抽出する。利用者情報取得部５０２によって取得された利用者情報に、施設の属性に関する情報が含まれている場合、施設情報抽出部５０３は、当該施設の属性に関する情報を加味して、利用者が利用可能な施設に関する施設であって、取得された属性に該当する施設に関する施設情報を抽出する。
【００７３】
確認部５０８は、利用者情報取得部５０２によって取得された利用者情報に個別障害情報が含まれるか否かを判断する。この実施の形態においては、確認部５０８によって、この発明にかかる確認手段を実現することができる。この実施の形態において、確認部５０８の機能は、ＣＰＵ２１１、ＲＡＭ２１２、ＨＤＤ２１３、ＨＤ２１４およびネットワークＩ／Ｆ２１５などによって実現することができる。
【００７４】
施設情報抽出部５０３は、確認部５０８による判断結果に基づき、利用者情報取得部５０２によって取得された利用者情報に個別障害情報が含まれる場合、さらに当該個別障害情報に基づいて該当する施設情報を抽出する。この実施の形態においては、施設情報抽出部５０３によって、この発明にかかる施設情報抽出手段を実現することができる。この実施の形態において、施設情報抽出部５０３の機能は、ＣＰＵ２１１、ＲＡＭ２１２、ＨＤＤ２１３およびＨＤ２１４などによって実現することができる。
【００７５】
施設情報出力部５０４は、所定の端末装置に対して、施設情報抽出部５０３によって抽出された施設情報を出力する。施設情報出力部５０４は、たとえば、利用者情報を取得した端末装置、すなわち、利用者情報の送信元となる利用者の端末装置１０３に対して、施設情報抽出部５０３によって抽出された施設情報を出力する。
【００７６】
この実施の形態においては、施設情報出力部５０４によって、この発明にかかる施設情報出力手段を実現することができる。この実施の形態において、施設情報出力部５０４の機能は、ＣＰＵ２１１、ＲＡＭ２１２、ＨＤＤ２１３、ＨＤ２１４およびネットワークＩ／Ｆ２１５によって実現することができる。
【００７７】
あるいは、施設情報出力部５０４は、端末データベース３２０を参照して、利用者情報取得部５０２によって取得された利用者情報に含まれる識別情報に関連付けられた端末装置に関する端末情報を抽出し、抽出された端末情報に基づいて特定される端末装置に施設情報を出力してもよい。この実施の形態においては、施設情報出力部５０４によって、この発明にかかる端末情報抽出手段を実現することができる。
【００７８】
利用要求受付部５０５は、施設情報の出力先の端末装置から、利用要求を受け付ける。利用要求は、クレジットカード決済時の施設への伝達情報（依頼情報）を含んでいてもよい。伝達情報は、クレジットカード利用時の本人確認方法（たとえば、サイン不可、指紋認証不可など）や決済内容確認方法（たとえば、「音声での確認をお願いしたい」など）を示す。これらの情報は、障害情報とともにカードに設けられた記憶媒体に記憶されていてもよいし、利用要求を送信する前に入力を受け付けてもよい。このような、クレジットカード決済時の施設への伝達情報（依頼情報）を施設に予め伝達しておくことにより、施設利用後の決済が円滑におこなうことができ、チャレンジドが健常者に気兼ねすることなく施設を気軽にかつ十分に利用することが可能になる。
【００７９】
また、利用要求は、利用者による施設の利用実績に関する情報を含んでもよい。これにより、この実施の形態のチャレンジド支援システム１００においては、利用者が利用を希望する施設の端末装置１０２に対して、チャレンジド支援サーバ１０１から利用実績に関する情報を送信することができる。そして、これによって、利用者が利用を希望する施設のスタッフなどに、利用を希望している利用者が利用実績のある利用者であることを確実に伝えることができ、実績のある利用者であることにより、利用者を受け入れる施設側のスタッフが当該利用者を安心して受け入れることができる。
【００８０】
利用要求受付部５０５は、利用者の端末装置１０３から送信された利用要求を受信することによって、利用要求を受け付けることができる。利用要求は、上記のように、利用者の端末装置１０３に出力された施設情報のうち指定された施設情報と、利用者にかかる個別障害情報と、当該施設の利用日時に関する情報と、を含む。
【００８１】
この実施の形態においては、利用要求受付部５０５によって、この発明にかかる利用要求受付手段を実現することができる。この実施の形態において、利用要求受付部５０５の機能は、ＣＰＵ２１１、ＲＡＭ２１２、ＨＤＤ２１３、ＨＤ２１４およびネットワークＩ／Ｆ２１５によって実現することができる。
【００８２】
利用予定通知生成部５０６は、利用要求受付部５０５によって利用要求が受け付けられた場合、当該利用要求に基づいて、利用予定通知を生成する。利用予定通知は、利用要求受付部５０５によって利用要求が受け付けられた利用要求に含まれる個別障害情報によって特定される障害を有する利用者（チャレンジド）の当該施設の利用予定に関する情報を含む。この実施の形態において、利用予定通知生成部５０６の機能は、ＣＰＵ２１１、ＲＡＭ２１２、ＨＤＤ２１３およびＨＤ２１４などによって実現することができる。
【００８３】
利用予定通知出力部５０７は、利用予定通知生成部５０６によって生成された利用予定通知を、利用要求受付部５０５によって利用要求が受け付けられた利用要求に含まれる施設情報によって特定される施設の端末装置１０２に対して出力する。
【００８４】
この実施の形態においては、利用予定通知出力部５０７によって、この発明にかかる利用予定出力手段を実現することができる。この実施の形態において、利用予定通知出力部５０７の機能は、ＣＰＵ２１１、ＲＡＭ２１２、ＨＤＤ２１３、ＨＤ２１４およびネットワークＩ／Ｆ２１５によって実現することができる。
【００８５】
（利用者の端末装置１０３の処理手順）
つぎに、利用者の端末装置１０３の処理手順について説明する。図６−１および図６−２は、利用者の端末装置１０３の処理手順を示す説明図である。図６−１のフローチャートに示した処理は、利用者の端末装置１０３を実現するコンピュータ装置において、上記の表示画面４１０が表示された状態においておこなわれる。表示画面４１０は、所定のウェブブラウザを起動し、チャレンジド支援サーバ１０１が開設するホームページなどの所定のウェブサイトにアクセスした状態において表示される。
【００８６】
図６−１のフローチャートにおいて、まず、「検索」キー４１２の操作を受け付けるまで待機する（ステップＳ６１１：Ｎｏ）。ステップＳ６１１において、「検索」キー４１２の操作を受け付けた場合（ステップＳ６１１：Ｙｅｓ）、表示画面４１０の入力エリア４１１に検索条件（キーワード）が入力されているか否かを判断する（ステップＳ６１２）。
【００８７】
ステップＳ６１２において、表示画面４１０の入力エリア４１１に検索条件が入力されていない場合（ステップＳ６１２：Ｎｏ）、検索条件の入力を要求して（ステップＳ６１３）、ステップＳ６１２へ戻る。ステップＳ６１３においては、たとえば、ディスプレイ２２６に、「検索条件を入力してください。」などのメッセージを表示することによっておこなうことができる。
【００８８】
ステップＳ６１２において、表示画面４１０の入力エリア４１１に検索条件が入力されている場合（ステップＳ６１２：Ｙｅｓ）、カード情報を読み取ったか否かを判断する（ステップＳ６１４）。ステップＳ６１４においては、カードリーダ２３０により、クレジットカードなどのカードが備えるＩＣチップ（あるいは磁気ストライプ）に記録された情報を読み取ったか否かを判断する。
【００８９】
ステップＳ６１４において、カード情報を読み取っていない場合（ステップＳ６１４：Ｎｏ）、カード情報の読み取りを要求して（ステップＳ６１５）、ステップＳ６１４へ戻る。ステップＳ６１５においては、たとえば、ディスプレイ２２６に、「カードリーダにクレジットカードを挿入してください。」などのメッセージを表示することによっておこなうことができる。
【００９０】
ステップＳ６１５において判断されるカード情報の読み取りのタイミングは、ステップＳ６１４のタイミングに限るものではない。ステップＳ６１５において判断されるカード情報は、所定のウェブブラウザを起動し、チャレンジド支援サーバ１０１が開設するホームページなどの所定のウェブサイトにアクセスした後、ステップＳ６１４までの間に読み取られていればよい。
【００９１】
ステップＳ６１４において、カード情報を読み取った場合（ステップＳ６１４：Ｙｅｓ）、検索要求を生成する（ステップＳ６１６）。ステップＳ６１６においては、上記のように、入力エリアに入力された検索条件、および、検索要求の送信元の利用者にかかる利用者情報を含む検索要求を生成する。
【００９２】
そして、チャレンジド支援サーバ１０１に対して、生成した検索要求を送信し（ステップＳ６１７）、送信した検索要求に応じた検索結果を受信するまで待機する（ステップＳ６１８：Ｎｏ）。その後、ステップＳ６１８において、ステップＳ６１７において送信した検索要求に応じた検索結果を受信した場合（ステップＳ６１８：Ｙｅｓ）、受信した検索結果に基づいて、当該検索結果に含まれる施設情報を表示して（ステップＳ６１９）、一連の処理を終了する。ステップＳ６１９においては、たとえば、上記の表示画面４２０を表示することによって施設情報を表示する。
【００９３】
検索結果に複数の施設情報が含まれる場合、表示画面４２０のように個別の施設情報を表示する前に、検索結果に含まれる複数の施設情報の一覧を表示してもよい。この場合、一覧における各施設情報に対応付けて、指定された施設情報にかかる表示画面４２０を表示させる操作キーなどをあわせて表示する。
【００９４】
図６−２のフローチャートに示した処理は、上記の表示画面４２０において、「利用」キーを表示する場合におこなわれる。図６−２のフローチャートにおいて、まず、「利用」キーの操作を受け付けたか否かを判断する（ステップＳ６２１）。ステップＳ６２１において、「利用」キーの操作を受け付けた場合（ステップＳ６２１：Ｙｅｓ）、利用予定通知画面を表示する（ステップＳ６２２）。利用予定通知画面は、上記のように、入力した内容を確定する「確定」キーを表示する。
【００９５】
つぎに、ステップＳ６２２において表示した利用予定通知画面における「確定」キーの操作を受け付けるまで待機する（ステップＳ６２３：Ｎｏ）。ステップＳ６２３において、「確定」キーの操作を受け付けた場合（ステップＳ６２３：Ｙｅｓ）、利用要求を生成する（ステップＳ６２４）。ステップＳ６２４においては、上記のように、予約画面の表示中に入力エリアに入力された情報すなわち施設の利用日時に関する情報、および、検索要求の送信元の利用者にかかる個別障害情報を含む利用要求を生成する。
【００９６】
その後、チャレンジド支援サーバ１０１に対して、ステップＳ６２４において生成した利用要求を送信して（ステップＳ６２５）、一連の処理を終了する。ステップＳ６２１において、「利用」キーの操作を受け付けていない場合（ステップＳ６２１：Ｎｏ）、終了の操作を受け付けたか否かを判断する（ステップＳ６２６）。ステップＳ６２６においては、たとえば、ウェブブラウザを終了する操作を受け付けたか否かを判断する。
【００９７】
ステップＳ６２６において、終了の操作を受け付けていない場合（ステップＳ６２６：Ｎｏ）、ステップＳ６２１へ戻る。一方、ステップＳ６２６において、終了の操作を受け付けた場合（ステップＳ６２６：Ｙｅｓ）、一連の処理を終了する。
【００９８】
（チャレンジド支援サーバ１０１の処理手順）
つぎに、チャレンジド支援サーバ１０１の処理手順について説明する。図７−１および図７−２は、チャレンジド支援サーバ１０１の処理手順を示すフローチャートである。図７−１のフローチャートにおいて、まず、図６−１のステップＳ６１７において利用者の端末装置１０３から送信された検索要求を受信するまで待機する（ステップＳ７１１：Ｎｏ）。
【００９９】
ステップＳ７１１において、検索要求を受信した場合（ステップＳ７１１：Ｙｅｓ）、受信した検索要求に含まれる利用者情報を取得する（ステップＳ７１２）。そして、取得した利用者情報に基づいて、施設データベース３１０を参照して、該当する施設情報を抽出する（ステップＳ７１３）。
【０１００】
その後、ステップＳ７１１：Ｙｅｓにおいて受信した検索要求の送信元となる利用者の端末装置１０３に対して、ステップＳ７１３において抽出した施設情報を送信（出力）して（ステップＳ７１４）、一連の処理を終了する。
【０１０１】
図７−２のフローチャートにおいて、まず、図６−２のステップＳ６２５において利用者の端末装置１０３から送信された利用要求を受信するまで待機する（ステップＳ７２１：Ｎｏ）。ステップＳ７２１において、利用要求を受信した場合（ステップＳ７２１：Ｙｅｓ）、受信した利用要求に基づいて、利用予定通知を生成する（ステップＳ７２２）。
【０１０２】
そして、ステップＳ７２１：Ｙｅｓにおいて受信した利用要求に基づいて特定される施設の端末装置に対して、ステップＳ７２２において生成した利用予定通知を送信して（ステップＳ７２３）、一連の処理を終了する。チャレンジド支援システム１００を用いた障害者支援サービスの運用上、利用予定通知の受信により、チャレンジドによる利用予定が通知された施設は、適宜、当該利用者へサービスを提供する準備などをおこなう。このように、利用予定を通知した後の施設の対応を確保することにより、チャレンジドに安心して施設を利用してもらうことができる。
【０１０３】
以上説明したように、この実施の形態のチャレンジド支援システム１００は、チャレンジド支援サーバ１０１において、カードに設けられた記憶媒体に記憶された利用者情報を取得し、施設データベース３１０を参照して、取得された利用者情報に含まれる個別障害情報に基づいて、当該利用者情報に含まれる識別情報に基づいて特定される利用者が利用可能な施設に関する施設情報を抽出し、利用者の端末装置１０３に対して、抽出された施設情報を出力する、処理を実行するようにしたことを特徴としている。
【０１０４】
この発明にかかる実施の形態のチャレンジド支援システム１００によれば、カードの利用者に対して、当該利用者が有する障害に応じて利用可能な施設に関する施設情報を提供することができる。これにより、利用者は、障害者が健常者に気兼ねすることなく、施設等を気軽にかつ十分に利用することができる。また、施設側は、利用を希望する利用者に当該施設の正確な情報を伝えることができ、当該施設の利用促進を図ることができる。
【０１０５】
このように、この発明にかかる実施の形態のチャレンジド支援システム１００によれば、チャレンジドが充実した社会生活を営むことができるように支援をおこなうとともに、当該支援を介して施設の利用を促進することにより経済活動の促進を図ることができる。
【０１０６】
また、この実施の形態のチャレンジド支援システム１００は、チャレンジド支援サーバ１０１において、施設情報の出力先となる利用者の端末装置１０３から、当該利用者の端末装置１０３に出力された施設情報のうち利用者によって指定された施設情報と、当該施設情報によって特定される施設の利用者にかかる個別障害情報と、当該施設の利用日時に関する情報と、を含む利用要求を受け付ける。
【０１０７】
そして、受け付けられた利用要求に基づいて、当該利用要求に含まれる施設情報によって特定される施設の端末装置１０２に対して、当該利用要求に含まれる個別障害情報によって特定される障害を有する利用者（チャレンジド）の当該施設の利用予定に関する情報を出力する、処理を実行することを特徴としている。
【０１０８】
この発明にかかる実施の形態のチャレンジド支援システム１００によれば、利用者に提供した施設情報のうち当該利用者が指定した施設情報によって特定される施設に対して、当該利用者の個別障害情報および利用予定を通知することができる。
【０１０９】
これにより、利用者は、当該利用者が有する障害に応じて利用可能な施設の利用予定を、当該施設に対して容易かつ確実に伝えることができる。すなわち、利用者は、障害に応じて利用可能な施設の検索に続けて、当該検索の結果提供された施設情報の中から利用を希望する施設の施設情報を指定することで、該当する施設に利用予定を伝える手続きを別途おこなうことなく、該当する施設に対して当該利用者の利用予定を容易かつ確実に伝えることができる。
【０１１０】
また、これにより、施設側は、当該施設の利用を希望する利用者の障害および利用予定を事前に把握することができる。そして、これにより、施設側は、チャレンジドの利用に先立って、当該チャレンジドの障害に応じたサービスを提供するための事前準備をおこなうことができる。
【０１１１】
これにより、この発明にかかる実施の形態のチャレンジド支援システム１００によれば、利用者は障害を有していても健常者に気兼ねすることなく、施設等を気軽にかつ十分に利用することができ、施設側はチャレンジドへのサービスを充実させることで利用促進を図ることができる。
【０１１２】
また、この実施の形態のチャレンジド支援システム１００は、チャレンジド支援サーバ１０１において、利用者情報を取得する処理において、さらに、施設の属性に関する情報を取得し、利用者が利用可能な施設に関する施設情報であって、取得された属性に該当する施設に関する施設情報を抽出するようにしたことを特徴としている。
【０１１３】
この発明にかかる実施の形態のチャレンジド支援システム１００によれば、カードの利用者に対して、当該利用者の希望により合致する施設に関する施設情報を提供することができる。これにより、利用者は、障害者が健常者に気兼ねすることなく、自身の希望する施設等を気軽にかつ十分に利用することができる。
【０１１４】
また、この実施の形態のチャレンジド支援システム１００は、利用者情報を取得する処理において、カードリーダを備えた端末装置またはカードリーダが接続された端末装置から当該利用者情報を取得し、利用者情報を取得した利用者の端末装置１０３に対して当該施設情報を出力するようにしたことを特徴としている。
【０１１５】
この発明にかかる実施の形態のチャレンジド支援システム１００によれば、カードリーダを備えた端末装置またはカードリーダが接続された端末装置であればどこからでも、チャレンジドに対して、当該利用者が有する障害に応じて利用可能な施設に関する施設情報を提供することができる。これにより、チャレンジドが、自身が利用可能な施設に関する施設情報を得やすくなり、障害を有していても健常者に気兼ねすることなく、施設等を気軽にかつ十分に利用することができ、施設側はチャレンジドへのサービスを充実させることで利用促進を図ることができる。
【０１１６】
また、この実施の形態のチャレンジド支援システム１００は、チャレンジド支援サーバ１０１において、端末データベース３２０を参照して、取得された利用者情報に含まれる識別情報に関連付けられた端末装置に関する端末情報を抽出し、抽出された端末情報に基づいて特定される端末装置に対して施設情報を出力するようにしたことを特徴としている。
【０１１７】
この発明にかかる実施の形態のチャレンジド支援システム１００によれば、あらかじめ利用者の識別情報と端末装置に関する情報とを関連付けておくことにより、たとえば、健常者が施設の検索をおこなった場合にも、当該検索の結果に基づいてチャレンジドが、自身が利用可能な施設に関する施設情報を得ることができる。これにより、検索をおこなうことが難しい利用者であっても健常者に気兼ねすることなく施設等を気軽にかつ十分に利用することができ、施設側はチャレンジドへのサービスを充実させることで利用促進を図ることができる。
【０１１８】
また、この実施の形態のチャレンジド支援システム１００においては、カードに設けられた記憶媒体に記憶された利用者情報に個別障害情報が含まれるか否かを判断し、当該判断による判断結果に基づき当該利用者情報に個別障害情報が含まれる場合、さらに当該個別障害情報に基づいて施設情報を抽出するようにしてもよい。
【０１１９】
なお、この実施の形態で説明したチャレンジド支援方法は、あらかじめ用意されたプログラムをパーソナルコンピュータやワークステーションなどのコンピュータで実行することにより実現することができる。このプログラムは、ハードディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１２０】
以上のように、この発明にかかるチャレンジド支援システム、チャレンジド支援プログラムおよびチャレンジド支援方法は、チャレンジドを支援するチャレンジド支援システム、チャレンジド支援プログラムおよびチャレンジド支援方法に有用であり、特に、チャレンジドの積極的な社会生活を支援するチャレンジド支援システム、チャレンジド支援プログラムおよびチャレンジド支援方法に適している。
【符号の説明】
【０１２１】
１００  チャレンジド支援システム
１０１  チャレンジド支援サーバ
１０２  施設の端末装置
１０３  利用者の端末装置
３１０  施設データベース
３２０  端末データベース
５０１  記憶部
５０２  利用者情報取得部
５０３  施設情報抽出部
５０４  施設情報出力部
５０５  利用要求受付部
５０６  利用予定通知生成部
５０７  利用予定通知出力部
【図１】
0006612508.tif 000002
【図２−１】
0006612508.tif 000003
【図２−２】
0006612508.tif 000004
【図３−１】
0006612508.tif 000005
【図３−２】
0006612508.tif 000006
【図４−１】
0006612508.tif 000007
【図４−２】
0006612508.tif 000008
【図５】
0006612508.tif 000009
【図６−１】
0006612508.tif 000010
【図６−２】
0006612508.tif 000011
【図７−１】
0006612508.tif 000012
【図７−２】
0006612508.tif 000013